(57)【要約】【課題】ソファーがリクライニング状態のときに、ユーザーが起き上がろうとしたり、立ち上がろうとして前方に体重移動させても、ソファーが前倒れしないように改善された電動リクライニングソファーを提供すること。【解決手段】床面に設置されるベース１５と、ベース１５に取り付けられ、座部１２、背もたれ部１３及び足乗せ部１４を支持している骨格リンク２０と、骨格リンク２０に結合され、座部１２、背もたれ部１３及び足乗せ部１４が着座位置またはリクライニング位置になるように、骨格リンク２０を変位させる電動モータ２２と、ベース１５に連結され、骨格リンク２０が着座位置からリクライニング位置に変位するのに連動して、ベース１５の前方へ伸び出して、その前端が床面に接し、ベース前端を支点にしたソファーの前倒れを防止するための前倒れ防止部材２８を有する。【選択図】図４
2019013277.tif 000002
【特許請求の範囲】
【請求項１】
座部、背もたれ部及び足乗せ部を備え、
足乗せ部が座部の前縁から垂下した着座位置と、
背もたれ部が後方へ傾斜し、足乗せ部が前方へ持ち上げられたリクライニング位置とに変化し得る電動リクライニングソファーであって、
床面に設置されるベースと、
前記ベースに取り付けられ、前記座部、背もたれ部及び足乗せ部を支持している骨格リンクと、
前記骨格リンクに結合され、前記座部、背もたれ部及び足乗せ部が前記着座位置またはリクライニング位置になるように、前記骨格リンクを変位させる電動モータと、
前記ベースに連結され、前記骨格リンクが前記着座位置から前記リクライニング位置に変位するのに連動して、前記ベースの前方へ伸び出して、その前端が床面に接し、前記ベース前端を支点にしたソファーの前倒れを防止するための前倒れ防止部材と、
を有することを特徴とする、電動リクライニングソファー。
【請求項２】
前記前倒れ防止部材は、前記ベースの右側辺及び左側辺にそれぞれ配置され、前後方向に伸びる長手の部材であって、先端にキャスターが取り付けられ、ベースに対して前後方向にスライド移動可能で、後方部はベースに保持されており、
前後骨格リンクのリクライニング位置への変位に同期して前方へ延び出すことを特徴とする、請求項１に記載の電動リクライニングソファー。
【発明の詳細な説明】
【技術分野】
【０００１】
本発明は、電動リクライニングソファーに関する。
【背景技術】
【０００２】
従来より、足置き台付きソファー（特許文献１）や、リクライニング椅子（特許文献２）や、オットマン付リクライニングチェア（特許文献３）等が種々提案されている。
また、近年は、電動リクライニングソファーと称される、電動モータにより背もたれ部が傾斜すると共に、足乗せ部（オットマン）が持ち上がるものが市販されている（非特許文献１）。
【先行技術文献】
【特許文献】
【０００３】
【特許文献１】特開平９−２８９９３４号公報
【特許文献２】特開２０１６−１０１３０１号公報
【特許文献３】特開２０１４−４６１６０号公報
【非特許文献】
【０００４】
【非特許文献１】ニトリ公式通販ニトリネット、ホーム−ソファー・座椅子・クッション−リクライングソファー
【発明の概要】
【発明が解決しようとする課題】
【０００５】
市販されている１人用電動リクライニングソファー１は、図１に示すように、内蔵モータにより、電動で背もたれ部２が後方へ傾斜すると共に、足乗せ部３が前方へ持ち上げられるようにリクライニングする。このため、ユーザーは、背もたれ部２に上半身を横たえ、足乗せ部３の上に足を伸ばした状態でくつろぐことができる。（図１）
ところが、リクライニング状態のソファー１でくつろいでいるユーザーが、ソファー１をリクライニングさせた状態のまま、ソファー１から起き上がろうとしたり、立ち上がろうとすると、図２に示すように、ソファー１の下部前縁４を支点にして、ソファー１が矢印Ａ１に示すように前倒れをするという課題があった。
【０００６】
そこで、本発明は、ソファーがリクライニング状態のときに、ユーザーが起き上がろうとしたり、立ち上がろうとして前方に体重移動させても、ソファーが前倒れしないように改善された電動リクライニングソファーを提供することを目的とする。
【課題を解決するための手段】
【０００７】
この発明は、上記目的を達成するために、請求項１記載の発明は、座部、背もたれ部及び足乗せ部を備え、足乗せ部が座部の前縁から垂下した着座位置と、背もたれ部が後方へ傾斜し、足乗せ部が前方へ持ち上げられたリクライニング位置とに変化し得る電動リクライニングソファーであって、床面に設置されるベースと、前記ベースに取り付けられ、前記座部、背もたれ部及び足乗せ部を支持している骨格リンクと、前記骨格リンクに結合され、前記座部、背もたれ部及び足乗せ部が前記着座位置またはリクライニング位置になるように、前記骨格リンクを変位させる電動モータと、前記ベースに連結され、前記骨格リンクが前記着座位置から前記リクライニング位置に変位するのに連動して、前記ベースの前方へ伸び出して、その前端が床面に接し、前記ベース前端を支点にしたソファーの前倒れを防止するための前倒れ防止部材と、を有することを特徴とする、電動リクライニングソファーである。
【０００８】
請求項２記載の発明は、前記前倒れ防止部材は、前記ベースの右側辺及び左側辺にそれぞれ配置され、前後方向に伸びる長手の部材であって、先端にキャスターが取り付けられ、ベースに対して前後方向にスライド移動可能で、後方部はベースに保持されており、前後骨格リンクのリクライニング位置への変位に同期して前方へ延び出すことを特徴とする、請求項１に記載の電動リクライニングソファーである。
【発明の効果】
【０００９】
本発明によれば、電動リクライニングソファーがリクライニング位置に変化するのに同期して、前倒れ防止部材が前方へ延び出してベースの前方を保持する。このため、ソファーがリクライニング位置において、着座位置からリクライニング位置へと変化する途中の状態であっても、リクライニング位置になった状態であっても、ソファーの前方に荷重がかかっても、ソファーは前倒れをしない。
【００１０】
よって、より安全に安心に使用できる電動リクライニングソファーを提供できる。
【図面の簡単な説明】
【００１１】
【図１】図１は、従来の電動リクライニングソファーをリクライニング状態にしてユーザーがくつろぐ様子を示す図である。
【図２】図２は、従来の電動リクライニングソファーをリクライニング状態にしてユーザーが起き上がろうとした場合の課題を説明するための図である。
【図３】図３は、本発明の一実施形態に係る電動リクライニングソファー１０を側面から見た図であり、着座位置の状態を示す図である。
【図４】図４は、本発明の一実施形態に係る電動リクライニングソファー１０を側面から見た図であり、リクライニング位置の状態を示す図である。
【図５】図５は、ベース１５及び骨格リンク２０を示す背面図である。
【図６】図６は、ベース１５及び骨格リンク２０を示す平面図である。
【図７】図７は、ベース１５及び骨格リンク２０を示す斜視図であり、骨格リンク２０は左側の骨格リンク２０Ｌのみが示され、右側の骨格リンクは省略されている、着座位置の状態を示す図である。
【図８】図８は、ベース１５及び骨格リンク２０を示す斜視図で、骨格リンク２０がリクライニング位置の状態を示す図である。
【発明を実施するための形態】
【００１２】
以下には、図面を参照して、本発明の実施形態について詳細に説明する。
図３及び図４は、本発明の一実施形態に係る電動リクライニングソファー１０を側面から見た図であり、外観形態を構成する肘掛け側部１１、座部１２、背もたれ部１３及び足乗せ部１４は、いずれも一点鎖線で示され、内部に配置されてソファーの骨格を構成しているベース１５及び骨格リンク２０が実線で示されている。図３は、電動リクライニングソファー１０が着座位置の状態を示し、図４は、電動リクライニングソファー１０がリクライニング位置の状態を示している。
【００１３】
図３及び図４を参照して、電動リクライニングソファー１０は、左右一対の肘掛け側部１１と、左右一対の肘掛け側部１１の間に配置された座部１２、背もたれ部１３及び足乗せ部１４を備えている。
電動リクライニングソファー１０は、着座位置（通常位置）では、図３に示すように、足乗せ部１４は座部１２の前縁から垂下しており、背もたれ部１３は後方に向かって緩く傾斜している。一方、電動リクライニングソファー１０は、リクライニング位置では、図４に示すように、背もたれ部１３は、後方へ大きく傾倒し、かつ足乗せ部１４は前方へ突出するように高く持ち上げられた状態となる。
【００１４】
電動リクライニングソファー１０の着座位置からリクライニング位置への変化は、後述するように、電動モータ２２の駆動力により行われる。そして、電動リクライニングソファー１０は、着座位置とリクライニング位置との間でその姿勢を変化できるように、以下に説明するベース１５及び骨格リンク２０を有している。
図３及び図４において、参照符号１５は床面に設置されるベースである。このベース１５の上に、折り畳まれた状態（図３を参照）と伸ばされた状態（図４を参照）とに変位可能な骨格リンク２０が配置されている。骨格リンク２０は、後述するように、左側骨格リンク２０Ｌ及び右側骨格リンク２０Ｒの一対を有している。そして、骨格リンク２０によって、前述した座部に、背もたれ部１３及び足乗せ部１４等が支持されている。
【００１５】
図５は、ベース１５及び骨格リンク２０（２０Ｌ，２０Ｒ）（すなわち、ソファーの外観形態を構成する一対の肘掛け側部１１、座部１２、背もたれ部１３及び足乗せ部１４を省略した状態）を示す背面図であり、図６は、ベース１５及び骨格リンク２０（２０Ｌ，２０Ｒ）を示す平面図である。図５及び図６では、骨格リンク２０（２０Ｌ，２０Ｒ）は着座位置の状態が示されている。
【００１６】
さらに、図７は、ベース１５及び骨格リンク２０を示す斜視図であり、骨格リンク２０は左側の骨格リンク２０Ｌのみが示され、右側の骨格リンクは省略されていて、着座位置の状態が示されている。また、図８は、ベース１５及び骨格リンク２０（２０Ｌ，２０Ｒ）を示す斜視図で、骨格リンク２０（２０Ｌ，２０Ｒ）がリクライニング位置の状態が示されている。
【００１７】
図５〜図８を参照して、ベース１５は、一例として４本のアングル鋼を用いて作られた平面視正方形状のベースフレーム１６を備えていてもよい。ベースフレーム１６の各角部下には、床面に接する脚座アジャスター１７が取り付けられていてもよい。
ベースフレーム１６の左辺には、左側の骨格リンク２０Ｌが取り付けられており、ベースフレーム１６の右辺には、右側の骨格リンク２０Ｒが取り付けられている。骨格リンク２０Ｌ及び骨格リンク２０Ｒは左右対称な対をなす形態である。骨格リンク２０Ｌ及び骨格リンク２０Ｒは、左右に延びる複数本の連結部材２１で連結されている。このため、骨格リンク２０Ｌ及び骨格リンク２０Ｒは、同期して折り畳まれた状態及び伸ばされた状態に変位する。
【００１８】
ベースフレーム１６の例えば前辺には、電動モータ２２が取り付けられている。また、電動モータ２２の駆動力を伝達する駆動力伝達機構２３が、ベースフレーム１６の前辺から後辺まで延びている。駆動力伝達機構２３は、ベースフレーム１６の左右方向のほぼ中央部に備えられ、前後方向に延びる長手構造をしている。
駆動力伝達機構２３の後部、つまりベースフレーム１６の後辺にはギヤボックス２４が設けられている。ギヤボックス２４は、駆動力伝達機構２３を介して入力される電動モータ２２の駆動力を適切なトルクや速度に変換して出力するものである。ギヤボックス２４の出力は、リンクアーム２５を介して連結部材２１に与えられると共に、左右の出力軸２６を介して左側の骨格リンク２０Ｌ及び右側の骨格リンク２０Ｒへ与えられる。
【００１９】
ベースフレーム１６の左辺には、左側の骨格リンク２０Ｌに関連して、前後方向に長手のガイド部材２７Ｌと、ガイド部材２７Ｌに案内され、前後にスライド移動し得る前倒れ防止部材２８Ｌとが設けられている。前倒れ防止部材２８Ｌは、その前端にキャスター２９が取り付けられている。よって、前倒れ防止部材２８Ｌは、ガイド部材２７Ｌに案内され、前方へスライド移動する際に、キャスター２９が床面を転動しつつ前倒れ防止部材２８Ｌの前端を支持するので、前倒れ防止部材２８Ｌはスムーズに前方へと移動して突出する。前倒れ防止部材２８Ｌの後方はギヤボックス２４の出力軸２６と機構的に連結されている。従って、ギヤボックス２４の出力が出力軸２６を介して骨格リンク２０Ｌへ与えられ、骨格リンク２０Ｌがリクライニング位置へ変位される変位動作に同期して、前倒れ防止部材２８Ｌは、前方へスライド移動される。
【００２０】
ベースフレーム１６の右辺には、右側の骨格リンク２０Ｒに関連して、前後方向に長手のガイド部材２７Ｒと、ガイド部材２７Ｒに案内され、前後にスライド移動し得る前倒れ防止部材２８Ｒとが設けられている。前倒れ防止部材２８Ｒにも、その前端にキャスター２９が取り付けられており、その後方はギヤボックス２４の出力軸２６と機構的に連結されている。よって、前倒れ防止部材２８Ｒも、骨格リンク２０Ｒがリクライニング位置へ変位される変位動作に同期して、前方へスライド移動される。
【００２１】
この実施形態に係る電動リクライニングソファー１０は、以上説明した構造、特にソファーの内部に配置されてソファーの骨格を構成しているベース１５、ベースフレーム１６、骨格リンク２０、２０Ｌ、２０Ｒ、前倒れ防止部材２８、２８Ｌ、２８Ｒ、モータ２２及びギヤボックス２４等を具備しており、骨格リンク２０、２０Ｌ、２０Ｒがリクライニング位置になることに連動して、前倒れ防止部材２８、２８Ｌ、２８Ｒが前方へスライド移動して、ソファー１０の下部前縁を前方に突出させる。そして、前端部はキャスターが床面に常に接している。よって、ソファー１０がリクライニング位置に変位する途中の状態で使用されたとしても、また、リクライニング位置で使用されたとしても、ユーザーがソファー１０から起き上がろうとしたり、立ち上がろうとして、体重を前方へ移しても、ソファー１０が前倒れすることはない。
【００２２】
この発明は、以上説明した実施形態に限定されるものではなく、請求項記載の範囲内で種々の変更が可能である。
【符号の説明】
【００２３】
１、１０    電動リクライニングソファー
２、１３    背もたれ部
３、１４    足乗せ部
４    下部前縁
１１    肘掛け側部
１２    座部
１５    ベース
１６    ベースフレーム
１７    脚座アジャスター
２０、２０Ｌ、２０Ｒ    骨格リンク
２１    連結部材
２２    電動モータ
２３    駆動力伝達機構
２４    ギヤボックス
２５    リンクアーム
２６    出力軸
２７、２７Ｌ、２７Ｒ    ガイド部材
２８、２８Ｌ、２８Ｒ    前倒れ防止部材
２９    キャスター
【図１】
2019013277.tif 000003
【図２】
2019013277.tif 000004
【図３】
2019013277.tif 000005
【図４】
2019013277.tif 000006
【図５】
2019013277.tif 000007
【図６】
2019013277.tif 000008
【図７】
2019013277.tif 000009
【図８】
2019013277.tif 000010